(57)【要約】【課題】軸線直交方向の体格を小型化することが可能な燃料フィルタ装置を提供する。【解決手段】濾過体３０は、筒状をなす最外周濾材部３３と、最外周濾材部３３よりも内方に位置する内方濾材部３４とを有している。そして、最外周濾材部３３の軸線方向における一端部において、最外周濾材部３３が内方濾材部３４よりも軸線方向に突出して環状突出壁部３３ａを形成している。ハウジング１０内の空間を上流側空間１０ａと下流側空間１０ｂとに区画するとともに濾過体３０を支持する支持体４０は、環状突出壁部３３ａの内方に配設され、環状突出壁部３３ａの内周面３３ｂに接着されている。【選択図】図１
2014155905.tif 000002
【特許請求の範囲】
【請求項１】
内部に燃料が流通するハウジング（１０）と、
前記ハウジング（１０）内に収容され、前記ハウジング（１０）内を流通する燃料を濾過する濾過体（３０）と、
前記ハウジング（１０）内の空間を前記濾過体（３０）よりも燃料流れ上流側の上流側空間（１０ａ）と前記濾過体（３０）よりも燃料流れ下流側の下流側空間（１０ｂ）とに区画するとともに、前記濾過体（３０）を支持する支持部材（４０）と、を備え、
前記濾過体（３０）は、
筒状をなす最外周濾材部（３３）と、前記最外周濾材部（３３）よりも内方に位置する内方濾材部（３４）とを有するとともに、
前記最外周濾材部（３３）の軸線方向（ＸＸ）における一端部において、前記最外周濾材部（３３）が前記内方濾材部（３４）よりも前記軸線方向（ＸＸ）に突出して環状突出壁部（３３ａ）を形成しており、
前記支持部材（４０）は、
前記環状突出壁部（３３ａ）の内方に配設され、前記環状突出壁部（３３ａ）の内周面（３３ｂ）に接合されていることを特徴とする燃料フィルタ装置。
【請求項２】
前記濾過体（３０）は、平板状濾材（３１）と波板状濾材（３２）とを接合したシート体（３０Ａ）が巻回されて形成されており、
前記最外周濾材部（３３）は、前記濾過体（３０）の最外部に位置する前記平板状濾材（３１）からなることを特徴とする請求項１に記載の燃料フィルタ装置。
【請求項３】
前記支持部材（４０）と前記内周面（３３ｂ）とは、接着剤（５０）により接合されていることを特徴とする請求項１または請求項２に記載の燃料フィルタ装置。
【請求項４】
前記支持部材（４０）は、拡がり方向の外周面（４１１ｂ）が前記内周面（３３ｂ）に沿うように配設されたプレート部（４１１）を有し、
前記接着剤（５０）は、前記プレート部（４１１）の外周縁部の前記一端部側の面（４１１ｃ）と、前記内周面（３３ｂ）とを接合していることを特徴とする請求項３に記載の燃料フィルタ装置。
【発明の詳細な説明】
【技術分野】
【０００１】
本発明は、ハウジング内に収容された濾過体で燃料を濾過する燃料フィルタ装置に関する。
【背景技術】
【０００２】
従来から、ハウジング内に収容する濾過体を支持部材で支持し、支持部材がハウジング内の空間を濾過体よりも燃料流れ上流側の上流側空間と濾過体よりも燃料流れ下流側の下流側空間とに区画する燃料フィルタ装置がある。このような燃料フィルタ装置では、支持部材の開口に円柱状の濾過体が挿設されて支持部材と濾過体とが接着され、支持部材が濾過体の外周を支持するものが知られている（例えば、下記特許文献１参照。）。
【先行技術文献】
【特許文献】
【０００３】
【特許文献１】特開平８−２９１７７６号公報
【発明の概要】
【発明が解決しようとする課題】
【０００４】
しかしながら、上記従来技術の燃料フィルタ装置では、支持部材が濾過体の外周よりも外方に位置している。したがって、濾過体の軸線に直交する方向において燃料フィルタ装置の体格が大きくなり易いという問題がある。
【０００５】
本発明は、上記点に鑑みてなされたものであり、軸線直交方向の体格を小型化することが可能な燃料フィルタ装置を提供することを目的とする。
【課題を解決するための手段】
【０００６】
上記目的を達成するため、本発明では、濾過体（３０）が、筒状をなす最外周濾材部（３３）と、最外周濾材部よりも内方に位置する内方濾材部（３４）とを有するとともに、最外周濾材部の軸線方向（ＸＸ）における一端部において、最外周濾材部が内方濾材部よりも軸線方向に突出して環状突出壁部（３３ａ）を形成している。そして、支持部材（４０）が、環状突出壁部の内方に配設され、環状突出壁部の内周面（３３ｂ）に接合されていることを特徴としている。
【０００７】
これによると、支持部材は、濾過体の最外周濾材部が軸線方向に突出した環状突出壁部の内側に配設され、環状突出壁部の内周面に接合されている。したがって、支持部材の濾過体との接合部位を濾過体の外周より外方に設ける必要がない。これにより、濾過体と支持部材との接合体（２０）の軸線直交方向の寸法を小さくすることが可能であり、接合体を収容するハウジングも、軸線直交方向の寸法を小さくすることが可能である。このようにして、濾過体の軸線に直交する方向において燃料フィルタ装置（１）の体格を小型化することができる。
【０００８】
なお、上記各手段に付した括弧内の符号は、後述する実施形態記載の具体的手段との対応関係を示す一例である。
【図面の簡単な説明】
【０００９】
【図１】本発明を適用した第１の実施形態における燃料フィルタ装置の構成を示す断面図である。
【図２】第１の実施形態の燃料フィルタ装置に用いられる濾過体を構成する濾材を示す斜視図である。
【図３】第１の実施形態の巻回されて濾過体となるシート体の平面図である。
【図４】第１の実施形態の燃料フィルタ装置に用いられるフィルタ部材の構成を示す断面図である。
【図５】第２の実施形態の巻回されて濾過体となるシート体の平面図である。
【図６】第３の実施形態における燃料フィルタ装置の構成を示す断面図である。
【発明を実施するための形態】
【００１０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１１】
（第１の実施形態）
本発明を適用した第１の実施形態について、図１〜図４を参照して説明する。
【００１２】
図１に示す燃料フィルタ装置１は、例えば、内燃機関であるディーゼルエンジンに燃料を供給するコモンレールシステムに用いられる。燃料フィルタ装置１は、例えば、車両のエンジンルーム内等に搭載されて、燃料タンク内の燃料を高圧ポンプに供給する燃料供給経路に介装され、燃料中から水分や異物等を除去するものである。
【００１３】
図１に示すように、燃料フィルタ装置１は、ハウジング１０、および、ハウジング１０内に収容されたフィルタ部材２０を備えている。
【００１４】
ハウジング１０は、外殻を構成するカップ状（有底筒状）のケース１１と、ケース１１の図示右方開口端に取り付けられたキャップ１２とを備えている。ケース１１は、円筒部１１１と、円筒部１１１の図示左方端を閉塞する底部１１２とを備え、円筒部１１１と底部１１２とが、一体的に形成されている。キャップ１２は、円板状の平板部１２１と、平板部１２１から図示左方に立設されたリブ１２２とを備え、平板部１２１とリブ１２２とが、一体的に形成されている。
【００１５】
リブ１２２は、平板部１２１の図示左方面上に複数設けられており、複数のリブ１２２は、後述する導入通路の下流端開口部位よりも外周側に配設されている、複数のリブ１２２は、周方向に等間隔に配設されて、それぞれが径方向に延びている。複数のリブ１２２は、それぞれの外方端が円筒部１１１の内周面に接触する位置にまで延設されており、円筒部１１１の径方向における平板部１２１の位置決めを行う機能を有している。
【００１６】
ケース１１およびキャップ１２は、いずれも例えばポリアミド樹脂等の樹脂製であり、円筒部１１１の図示右方端部と平板部１２１の外周縁部とを、例えば溶着により相互に接合して、ケース１１にキャップ１２が取り付けられている。ケース１１およびキャップ１２は、樹脂製に限定されず、鉄もしくはアルミニウム合金等の金属製であってもかまわない。
【００１７】
キャップ１２は、平板部１２１の中央部に、図示右方に向かって突設された導入パイプ１３を有している。一方、ケース１１は、底部１１２の中央部に、図示左方に向かって突設された導出パイプ１４を有している。ハウジング１０内には、導入パイプ１３内の燃料導入通路から導出パイプ１４内の燃料導出通路へ向かう燃料通路が形成されている。
【００１８】
ハウジング１０内には、フィルタ部材２０が収容されている。フィルタ部材２０は、濾過体３０、支持体４０（支持部材に相当）、および、濾過体３０と支持体４０とを接着する接着剤５０を備えている。フィルタ部材２０は、ハウジング１０内に、円筒部１１１と同軸上に配設されている。
【００１９】
濾過体３０は、例えばパルプ材等からなる２枚の濾材により構成されて、全体としては円柱形状をなしている。濾過体３０は、最外周に位置する最外周濾材部３３と、最外周濾材部３３よりも内方に位置する内方濾材部３４とからなる。最外周濾材部３３は、筒状（本例では円筒状）をなしており、本例では、一層の最外周濾材層により構成されている。以下、最外周濾材部３３の軸線方向をＸＸ方向と呼ぶ場合がある。
【００２０】
最外周濾材部３３は、図示左方の端部（軸線方向の一端部に相当）において、内方濾材部３４よりもＸＸ方向に突出した環状突出壁部３３ａを有している。環状突出壁部３３ａは、本例では円環状の壁部であり、この環状突出壁部３３ａの内方に支持体４０が配設されている。
【００２１】
濾過体３０を支持する支持体４０は、例えばポリアミド樹脂等の樹脂製である支持プレート４１と、例えばＮＢＲ（アクリロニトリルブタジエンゴム）、フッ素ゴム等のゴム製であるガスケット４２とを備えている。
【００２２】
支持プレート４１は、平板部４１１（プレート部に相当）、リブ４１２、および、周状壁４１３等が一体的に成形されている。平板部４１１は、ＸＸ方向に直交する方向に拡がる板状に形成され、外周面４１１ｂが環状突出壁部３３ａの内周面３３ｂに沿うように配設されている。
【００２３】
平板部４１１の中央部には平板部４１１を貫通する開口部４１１ａが形成されている。リブ４１２は、平板部４１１の図示右方面上に複数立設されている。複数のリブ４１２は、開口部４１１ａよりも外周側に配設されている。複数のリブ４１２は、周方向に等間隔に配設されて、それぞれが径方向に延びている。
【００２４】
複数のリブ４１２は、それぞれの外方端が外周面４１１ｂと並ぶ位置（連続する面となる位置）にまで延設されている。また、複数のリブ４１２のそれぞれの図示右方辺部は、内方濾材部３４の図示左端に接触している。
【００２５】
周状壁４１３は、平板部４１１の図示左面において、外周よりも若干内方部位から図示左方に立設している。周状壁４１３は、外周面４１１ｂと同軸上に配設されており、周状壁４１３と環状突出壁部３３ａとの間には、接着剤５０を充填塗布する環状の充填溝が形成されている。この充填溝に充填された接着剤５０が、平板部４１１の外周縁部の外方面４１１ｃ（図示左面、充填溝の底面、一端部側の面に相当）と、環状突出壁部３３ａの内周面３３ｂとを、全周に亘って接合している。接着剤５０として、例えばエポキシ系の接着剤を採用することができる。
【００２６】
平板部４１１の図示左面において、周状壁４１３の立設部位と開口部４１１ａとの間には、同軸上に立設された２つの周状壁部の間に円環状の収容溝４１４が形成されている。ガスケット４２は、この収容溝４１４内に収容されている。
【００２７】
シール部材であるガスケット４２は、所謂リップシール部材である。ガスケット４２は、収容溝４１４に収容された円環状の本体部から延びる円環状のリップ部を有しており、リップ部がケース１１の底部１１２に周状に密接している。ガスケット４２は、支持プレート４１の収容溝４１４に装着するものであってもよいが、例えば２色成形等により支持プレート４１に予め設けるものであってもよい。
【００２８】
フィルタ部材２０は、濾過体３０の最外周濾材部３３が円筒部１１１の内周面に沿うとともに、濾過体３０の図示右端がリブ１２２の図示左方辺部に押圧されて、ハウジング１０内の所定位置に配設されている。リブ１２２によるフィルタ部材２０の図示左方への押圧に伴い、ガスケット４２のリップ部が撓んで底部１１２に密接している。
【００２９】
フィルタ部材２０がハウジング１０内の所定位置に配設されて、ガスケット４２がシール構造を形成することで、支持体４０がハウジング１０内の空間を２つの空間に区画している。ハウジング１０内には、濾過体３０よりも燃料流れ上流側の上流側空間１０ａが形成されるとともに、濾過体３０よりも燃料流れ下流側の下流側空間１０ｂが形成されている。
【００３０】
上流側空間１０ａは、導入パイプ１３内の燃料導入通路に連通する空間である。リブ１２２が濾過体３０の図示右端を支持することにより、キャップ１２の平板部１２１と濾過体３０との間に上流側空間１０ａが形成されている。
【００３１】
下流側空間１０ｂは、導出パイプ１４内の燃料導出通路に連通する空間である。下流側空間１０ｂは、支持体４０と底部１１２との間の空間うちガスケット４２より内方の空間、開口部４１１ａ内、および、平板部４１１と内方濾材部３４との間の空間からなる。
【００３２】
ここで、フィルタ部材２０の製造方法について説明する。図２に示すように、濾過体３０は、平板状濾材３１と波板状濾材３２との２枚の濾材により形成されている。
【００３３】
濾過体３０を形成する際には、まず、図２に示す平板状濾材３１と波板状濾材３２とを接着して、図３に示すようなシート体３０Ａを製造する。本例の波板状濾材３２は、半円状の円弧が連続する断面を有する波板状であり、隣り合う円弧間の折り返し部が平板状濾材３１と接着している。
【００３４】
図２に示すように、平板状濾材３１および波板状濾材３２は、長辺長さおよび短辺長さが互いに等しい矩形状（本例では長辺が比較的長い帯状）をなしている。ただし、平板状濾材３１は、長辺側の端部の一部（図示右上部）に、矩形状の突出部３１ａを有している。これにより、図３に示すように、両濾材３１、３２を重ね合わせて相互に接着したシート体３０Ａでは、この突出部３１ａが、波板状濾材３２と重複することなく図示上方に突出している。
【００３５】
このシート体３０Ａを、図示左辺部を中心として波板状濾材３２が内側となるように左方から巻回すると、突出部３１ａの図示下方部分が濾過体３０の最外周に位置することになる。この部分の平板状濾材３１が、前述した最外周濾材部３３となり、突出部３１ａが環状突出壁部３３ａとなる。したがって、図３における突出部３１ａの図示左右方向の寸法は、濾過体３０の外周長以上を必要とする。なお、平板状濾材３１のうち最外周濾材部３３とならない部分、および、波板状濾材３２の全部が、内方濾材部３４となる。
【００３６】
図３に示すシート体３０Ａを形成した際には、平板状濾材３１と波板状濾材３２とが接着されて、内部に内部空間を形成している。内部空間は、横断面が半円状の空間であり、図示上下方向に延びて、図３図示上方端の天井部が接着剤により閉塞されている。したがって、シート体３０Ａは、半円柱状の空間（所謂かまぼこ型の空間）である内部空間を形成する有天の（天井部を有する）チューブ状濾材が一列に並び、並列に接続されてなるシート体である。このチューブ状濾材の内部空間は、図１では上流側空間１０ａに連通する空間となる。
【００３７】
このシート体３０Ａを巻回する際に、隣接する層の平板状濾材３１と波板状濾材３２との間に接着剤を介在させて接着することで、濾過体３０が形成される。巻回により隣接する平板状濾材３１と波板状濾材３２とを接着する接着剤は、有天のチューブ状濾材の図示下方の開口側の端部近傍に配置される。巻回により隣接する平板状濾材３１と波板状濾材３２とを接着する接着剤よりも図示上方の空間は、前述のチューブ状濾材の外部空間となる。このチューブ状濾材の外部空間は、図１では下流側空間１０ｂに連通する空間となる。
【００３８】
このように、濾過体３０は、体格に対して濾過面積が極めて大きい、所謂ハニカム状の濾過体である。
【００３９】
シート体３０Ａを巻回して濾過体３０を形成したら、濾過体３０に支持体４０を取り付ける。図４に示すように、例えば、濾過体３０を環状突出壁部３３ａ突出方向が上方となるように置き、図示上方から支持体４０を環状突出壁部３３ａの内側に配設する。支持体４０のリブ４１２が、内方濾材部３４の図示上端に当接して、濾過体３０と支持体４０との相互の位置関係が決まる。
【００４０】
濾過体３０と支持体４０とを組み合わせたら、図示上方から、支持プレート４１の平板部４１１の外方面４１１ｃ（周状壁４１３よりも外周側の図示上面）上に接着剤５０を塗布する。そして、接着剤５０を硬化させて、環状突出壁部３３ａの内周面３３ｂと平板部４１１の外方面４１１ｃとを接着する。このようにして、フィルタ部材２０を得ることができる。
【００４１】
図１に示す燃料フィルタ装置１では、導入パイプ１３を介してハウジング１０内へ導入された燃料は、上流側空間１０ａへ流入し、図示右方端面から濾過体３０の前述したチューブ状濾材内へ流入する。濾過体３０に流入した燃料は、平板状濾材３１および波板状濾材３２のいずれかを通過する際に濾過されて、チューブ状濾材の外部（前述したチューブ状濾材の外部空間）へ流出する。濾材３１、３２を通過して水分や異物が除去された燃料は、上記外部空間から下流側空間１０ｂを流れて導出パイプ１４を介してハウジング１０外へ導出される。
【００４２】
上述の構成の燃料フィルタ装置１によれば、濾過体３０は、筒状をなす最外周濾材部３３と、最外周濾材部３３よりも内方に位置する内方濾材部３４とを有している。そして、最外周濾材部３３の軸線方向における一端部において、最外周濾材部３３が内方濾材部３４よりも軸線方向に突出して環状突出壁部３３ａを形成している。ハウジング１０内の空間を上流側空間１０ａと下流側空間１０ｂとに区画するとともに濾過体３０を支持する支持体４０は、環状突出壁部３３ａの内方に配設され、環状突出壁部３３ａの内周面３３ｂに接合されている。
【００４３】
これによると、支持体４０は、濾過体３０の最外周濾材部３３がＸＸ方向に突出した環状突出壁部３３ａの内側に配設され、環状突出壁部３３ａの内周面３３ｂに接合されている。したがって、支持体４０の濾過体３０との接合部位を濾過体３０の外周より外方に設ける必要がない。
【００４４】
図１および図４から明らかなように、支持体４０は、全体が、ＸＸ方向における濾過体３０の投影範囲内に配設されている。すなわち、ＸＸ方向から見たときに、支持体４０は、全域が濾過体３０の外周よりも内方に配設されている。
【００４５】
これにより、濾過体３０と支持体４０との接合体であるフィルタ部材２０の径方向の寸法を小さくすることができ、フィルタ部材２０を収容するハウジング１０も、径方向の寸法を小さくすることができる。このようにして、濾過体３０の径方向（軸線に直交する方向）において燃料フィルタ装置１の体格を小型化することができる。
【００４６】
また、濾過体３０は、平板状濾材３１と波板状濾材３２とを接合したシート体３０Ａが巻回されて形成されている。そして、最外周濾材部３３は、濾過体３０の最外部に位置する平板状濾材３１からなる。
【００４７】
これによると、平板状濾材３１と波板状濾材３２とを接合したシート体３０Ａを巻回して構成する濾過面積が比較的大きい濾過体３０において、巻回した際に最外部に位置する平板状濾材３１で環状突出壁部３３ａを容易に形成することができる。
【００４８】
また、支持体４０と環状突出壁部３３ａの内周面３３ｂとは、接着剤５０により接合されている。これによると、接着剤５０で支持体４０と環状突出壁部３３ａの内周面３３ｂと容易に接合することができる。
【００４９】
また、支持体４０は、拡がり方向の外周面４１１ｂが環状突出壁部３３ａの内周面３３ｂに沿うように配設された平板部４１１を有し、接着剤５０は、平板部４１１の外周縁部の外方面４１１ｃと、環状突出壁部３３ａの内周面３３ｂとを接合している。
【００５０】
これによると、支持体４０の平板部４１１と環状突出壁部３３ａの内周面３３ｂとを接合する接着剤５０は、平板部４１１の両面のうち、環状突出壁部３３ａの突出方向側の面上に配置される。すなわち、接着剤５０は平板部４１１の反内方濾材部側の面上に配置される。したがって、濾過体３０と支持体４０との相互の位置決めを行った後に、平板部４１１の外周縁部と環状突出壁部３３ａの内周面３３ｂとを接着する接着剤５０を配置することが容易である。
【００５１】
（第２の実施形態）
次に、第２の実施形態について図５に基づいて説明する。
【００５２】
第２の実施形態は、前述の第１の実施形態と比較して、濾過体となるシート体の構成が異なる。なお、第１の実施形態と同様の部分については、同一の符号をつけ、その説明を省略する。第１の実施形態に係る図面と同一符号を付した構成部品、第２の実施形態において説明しない他の構成は、第１の実施形態と同様であり、また同様の作用効果を奏するものである。
【００５３】
図５に示すように、本実施形態では、平板状濾材３１Ｂと波板状濾材３２とを接着してシート体３０Ｂを形成している。平板状濾材３１Ｂは、外形が波板状濾材３２とほぼ同一である。図５に示すように、平板状濾材３１Ｂと波板状濾材３２とは、図示左方端部では図示上下方向位置がほぼ一致するように重ね合わされている。
【００５４】
しかしながら、図示右方部では、平板状濾材３１Ｂと波板状濾材３２とは、長辺が延びる方向が若干異なるように重ね合わされている。具体的には、例えば図示左端から、いずれも帯状の平板状濾材３１Ｂと波板状濾材３２とを順次重ね合わせる際に、重ね合わせ開始後暫くは平板状濾材３１Ｂと波板状濾材３２との図示上下方向（幅方向）位置を一致させる。そして、図示右方部へ近づいてきたら、図示右方へ向かうほど、波板状濾材３２に対して平板状濾材３１Ｂが図示上方へずれるように重ね合わせる。平板状濾材３１Ｂの波板状濾材３２と重なっていない図示上方部分が、本実施形態では突出部３１Ｂａとなる。そして、シート体３０Ｂを巻回した際には、突出部３１Ｂａにより濾過体の環状突出壁部３３ａが形成される。
【００５５】
本実施形態によっても第１の実施形態と同様の効果を得ることができる。また、平板状濾材３１Ｂに矩形状の突出部を設ける必要がない。したがって、平板状濾材３１Ｂおよび波板状濾材３２を、いずれも帯状部材とすることができ、濾過体の製造が容易である。
【００５６】
（第３の実施形態）
次に、第３の実施形態について図６に基づいて説明する。
【００５７】
第３の実施形態は、前述の第１の実施形態と比較して、導入パイプおよび導出パイプをハウジングの同一端部に設けた点が異なる。なお、第１の実施形態と同様の部分については、同一の符号をつけ、その説明を省略する。第１の実施形態に係る図面と同一符号を付した構成部品、第３の実施形態において説明しない他の構成は、第１の実施形態と同様であり、また同様の作用効果を奏するものである。
【００５８】
図６に示すように、本実施形態の燃料フィルタ装置は、ハウジング３１０、および、ハウジング３１０内に収容されたフィルタ部材３２０を備えている。ハウジング３１０は、外殻を構成するカップ状（有底筒状）のケース３１１と、ケース３１１の図示右方開口端に取り付けられたキャップ３１２とを備えている。
【００５９】
ケース３１１およびキャップ３１２は、いずれも例えばポリアミド樹脂等の樹脂製であり、円筒部１１１の図示右方端部と平板部１２１の外周縁部とを、例えば溶着により相互に接合して、ケース３１１にキャップ３１２が取り付けられている。ケース３１１およびキャップ３１２は、樹脂製に限定されず、鉄もしくはアルミニウム合金等の金属製であってもかまわない。
【００６０】
ケース３１１は、底部１１２の中央部に、外方に向かって突設されたＬ字形状の導入パイプ１３を有している。また、ケース３１１は、底部１１２の周縁部に、外方に向かって突設されたＬ字形状の導出パイプ１４を有している。ハウジング３１０内には、導入パイプ１３内の燃料導入通路から導出パイプ１４内の燃料導出通路へ向かう燃料通路が形成されている。
【００６１】
ハウジング３１０内には、フィルタ部材３２０が収容されている。フィルタ部材３２０は、濾過体３０、支持体３４０（支持部材に相当）、および、濾過体３０と支持体３４０とを接着する接着剤５０を備えている。フィルタ部材３２０は、ハウジング３１０内に、円筒部１１１と同軸上に配設されている。
【００６２】
本実施形態の濾過体３０は、例えば、第１の実施形態で説明したシート体３０Ａを、後述するセンタパイプ３４１５の周囲に巻回して構成されている。濾過体３０の環状突出壁部３３ａの内方に支持体３４０が配設されている。フィルタ部材３２０においても、接着剤５０が、平板部４１１の外周縁部の外方面４１１ｃと、環状突出壁部３３ａの内周面３３ｂとを、全周に亘って接合している。
【００６３】
濾過体３０を支持する支持体３４０は、例えばポリアミド樹脂等の樹脂製である支持プレート３４１と、ガスケット４２とを備えている。支持プレート３４１は、平板部４１１、リブ４１２、、周状壁４１３、および、センタパイプ３４１５等が一体的に成形されている。平板部４１１の開口部４１１ａを取り囲む周縁部には、平板部４１１を貫通するように、周方向に間隔を空けて複数の開口部４１１ｄが形成されている。開口部４１１ｄは、複数のリブ４１２立設部位の間に形成されている。
【００６４】
フィルタ部材３２０は、濾過体３０の最外周濾材部３３が円筒部１１１の内周面に沿うとともに、濾過体３０の図示右端がリブ１２２の図示左方辺部に押圧されて、ハウジング３１０内の所定位置に配設されている。
【００６５】
フィルタ部材３２０がハウジング３１０内の所定位置に配設されて、ガスケット４２がシール構造を形成することで、支持体３４０がハウジング３１０内の空間を２つの空間に区画している。ハウジング３１０内には、濾過体３０よりも燃料流れ上流側の上流側空間１０ａが形成されるとともに、濾過体３０よりも燃料流れ下流側の下流側空間１０ｂが形成されている。
【００６６】
上流側空間１０ａは、導入パイプ１３内の燃料導入通路に連通する空間である。上流側空間１０ａは、支持体３４０と底部１１２との間の空間うちガスケット４２より内方の空間、開口部４１１ａ内、センタパイプ３４１５内、および、キャップ３１２の平板部１２１と濾過体３０との間の空間からなる。
【００６７】
下流側空間１０ｂは、導出パイプ１４内の燃料導出通路に連通する空間である。下流側空間１０ｂは、平板部４１１と内方濾材部３４との間の空間、開口部４１１ｄ内、および、支持体３４０と底部１１２との間の空間うちガスケット４２より外方の空間からなる。
【００６８】
本実施形態によっても第１の実施形態と同様の効果を得ることができる。また、濾過体３０は、シート体３０Ａをセンタパイプ３４１５の周囲に巻回して形成しているので、濾過体３０の形成が極めて容易である。
【００６９】
（他の実施形態）
以上、本発明の好ましい実施形態について説明したが、本発明は上述した実施形態に何ら制限されることなく、本発明の主旨を逸脱しない範囲において種々変形して実施することが可能である。
【００７０】
上記各実施形態では、濾過体３０の最外周濾材部３３は円筒状をなしていたが、これに限定されるものではない。例えば、最外周濾材部３３は楕円筒状をなしていてもよいし、角筒状をなしていてもかまわない。
【００７１】
また、上記各実施形態では、濾過体３０の最外周濾材部３３は一層の平板状濾材３１により構成されていたが、これに限定されるものではない。例えば、一体となった二層以上の濾材により最外周濾材部を構成してもかまわない。すなわち、環状突出壁部も一体となった二層以上の濾材からなるものであってもよい。
【００７２】
また、上記各実施形態では、濾過体３０は所謂ハニカム状の濾過体であり、内方濾材部３４は波板状濾材３２と平板状濾材３１とにより構成されていたが、これに限定されるものではない。例えば、最外周濾材部から連続する濾材を屈曲させて形成した内方濾材部であってもかまわない。
【００７３】
また、上記各実施形態では、平板部４１１の外周縁部の外方面４１１ｃと、環状突出壁部３３ａの内周面３３ｂとを、接着剤５０により接着していたが、これに限定されるものではない。例えば、平板部４１１の外周面４１１ｂと環状突出壁部３３ａの内周面３３ｂとの間に接着剤を介在させて、両面を接着するものであってもよい。
【００７４】
また、上記各実施形態では、支持体は径方向に拡がる平板部４１１を備え、平板部４１１と環状突出壁部３３ａとを接着していたが、これに限定されるものではない。例えば、環状突出壁部３３ａと接着する支持体の部位は、湾曲した板状部であってもかまわない。
【００７５】
また、上記各実施形態では、支持体と環状突出壁部の内周面とを接着していたが、これに限定されるものではない。例えば、支持体と環状突出壁部の内周面とを熱溶着により接合するものであってもよい。
【００７６】
また、上記各実施形態では、ハウジングは、ケースとキャップとを組み合わせて構成していたが、これに限定されるものではなく、例えば、３部材以上を組み合わせてハウジングを構成してもかまわない。また、ハウジングを構成する際の複数の部材の接合は、溶着によるものに限定されず、例えば、接着であってもよいし、螺子止めによるものであってもよい。
【００７７】
また、上記各実施形態では、燃料フィルタ装置は、ディーゼルエンジンに燃料を供給するコモンレールシステムに用いられるものであったが、これに限定されるものではない。例えば、分配型ポンプを用いたディーゼルエンジンへの燃料供給系に採用するものであってもよいし、ガソリンエンジンへの燃料供給系に採用するものであってもかまわない。
【符号の説明】
【００７８】
１  燃料フィルタ装置
１０、３１０  ハウジング
１０ａ  上流側空間
１０ｂ  下流側空間
３０  濾過体
３３  最外周濾材部
３３ａ  環状突出壁部
３３ｂ  内周面
３４  内方濾材部
４０、３４０  支持体（支持部材）
【図１】
2014155905.tif 000003
【図２】
2014155905.tif 000004
【図３】
2014155905.tif 000005
【図４】
2014155905.tif 000006
【図５】
2014155905.tif 000007
【図６】
2014155905.tif 000008